(57)【要約】      （修正有）【課題】複数の調理器具を衛生的に、また、安定した状態で整理して置くことができる卓上調理器具置きを提供する。【解決手段】調理台に対して垂直方向に立つ鉄等の線材でできた２本の支柱と、それら支柱の上部を鉄等の線材でつないでいる部分とからなる調理器具置き部を２つ有し、各々の高さが異なる。【選択図】図１
0003174700.tif 000002
【実用新案登録請求の範囲】
【請求項１】
調理時等においてお玉や菜箸等を調理台と鉄等の線材でできた胴の部分が空洞となっている卓上用調理器具置き部とで、安定させることを特徴とする卓上調理器具置きである。
【請求項２】
前記卓上調理器具置きの調理器具を載せる調理器具置き部は手前と後ろの２か所あり、手前部分の調理器具置き部は後ろ部分の調理器具置き部より低くなっており、お玉等のように柄と使用部の間に角度があり調理器具置きに高さが必要なものは後ろ部分の高い方の調理器具置き部に載せ、菜箸等直線状といえるものは、手前部分の低い方の調理器具置き部に載せることで必要な高さに応じたより安定した状態を得ることができる点を特徴とする請求項１記載の卓上調理器具置きである。
【請求項３】
前記卓上調理器具置きの手前部分の調理器具置き部と後ろ部分の調理器具置き部の少なくとも一方は複数の調理器具を整理して載せることができるように波線状になっており、くぼんだ部分に調理器具を載せることにより他の調理器具と交差することを防止するとともに、載せた調理器具が滑って本卓上調理器具置きから落ちることを防ぐ構造になっている点を特徴とする請求項１または２記載の卓上調理器具置きである。
【請求項４】
前記卓上調理器具置きの下部には、受け皿様の受け部が接着してあり、本卓上調理器具置きに載せた調理器具から落ちた油等の滴が受け皿様の受け部に受けとめられ、調理台が汚れない構造であることを特徴とする請求項１〜３のいずれか１項に記載の卓上調理器具置きである。
【考案の詳細な説明】
【技術分野】
【０００１】  本考案は、調理時に、使用する調理器具、特に、菜箸、お玉等を、整理して置くための整理器具に関するものである。
【技術背景】
【０００２】  調理時に調理器具を整理しておくための従来の器具としては、お玉置き（例えば、特許文献１）や、菜箸置き（例えば、特許文献２）等がある。
以下、特許文献１の図４、特許文献２の図１により従来の調理器具用整理器具について説明する。特許文献１の図４に図示されている調理器具用整理具は、お玉と箸のみを整理の対象とするものである。それ以外の調理器具について整理する機能は有していない。また、特許文献２の図１に図示されている調理器具用整理器具は、箸のみを整理する器具であり、また、箸から落ちる油等の滴への対処話されていない。
【先行技術文献】
【特許文献】
【０００３】
【特許文献１】登録実用新案公報３１５８７２４号（図４）
【特許文献２】登録実用新案公報３０９３６９６号（図１）
【考案の概要】
【私が解決しようとする課題】
【０００４】  従来、調理時に、使用する菜箸やお玉等の調理器具は、そのまま調理台に置くか、皿に載せるか、上記先行技術文献にあるような器具を利用することが考えられる程度であった。
調理器具を調理台にそのまま置くのでは、調理器具が不衛生であったり、調理台が汚れたりする問題点があり、また、皿に載せたりするとしても、複数のお玉や、菜箸、また、フライ返し等を、並べて整理して安定した状態で置き、また、素早く持ち替えることが困難であった。
【課題を解決するための手段】
【０００５】  本考案は、前後にある程度横幅のある低高２種の調理器具置き部を設け、各々の調理器具置き部の胴の部分を空洞にし、さらに、調理器具置き部を波線状にし、なおかつ、調理器具置き本体の下部に受け皿様の受け部を接着することにより、問題点を解決している。
【考案の効果】
【０００６】  上述のように、調理器具の使用部分を置く調理器具置き部を調理台から多少高さのある部分に設けることにより、衛生面の問題の解決を図るとともに、低い調理器具置き部と、高い調理器具置き部を設けることにより、菜箸等直線的で、調理器具置きにあまり高さの必要ないものは、必要最小限の高さを与えるにとどめて安定性を向上させるとともに、お玉等使用部分が柄から折れ曲がっており、ある程度調理器具置きに高さが必要なものは、必要な程度の高さの調理器具置きの利用によって、衛生面の問題の解決を図っている。さらに、両調理器具置き部ともに、波線状になっており、複数の調理器具を整理して並べて置くことができるとともに、置いた調理器具の安定性が得られる設計となっており、調理器具の持ち替えも容易な設計となっている。以上に加えて、調理器具置き部の下部に、受け皿様の受け部を接着することにより、調理器具から落ちる油等の滴が調理台を汚すのを防ぐ設計になっている。
【図面の簡単な説明】
【０００７】
【図１】本考案の卓上調理器具置きの実施例を示す側面図である。菜箸を置いた例を示している。
【図２】本考案の卓上調理器具置きの正面図である。
【考案を実施するための形態】
【０００８】  卓上調理器具置きを調理台等の上に手前に少しスペースを持たせて正面を向けて設置する。それにより、調理器具を置くための卓上用調理器具置きとして利用することができるようになる。
【実施例】
【０００９】  以下、添付図面に従って一実施例を説明する。１は、鉄の線材等で形成された高い方の調理器具置き部、２は、１と同様の素材で形成された低い方の調理器具置き部で、これらの胴の部分と３の受け皿様の受け部との間は空洞となっている。そのため、２の低い方の調理器具置き部に菜箸等の調理器具を置いた場合には１の後ろ側の高い方の調理器具置きの下をくぐる状態で菜箸等の調理器具を置くことができる。もちろん、１の高い方の調理器具置き部を利用することも可能である。
【符号の説明】
【００１０】１  調理器具置き部高
２  調理器具置き部低
３  菜箸
４  補強部分
５  受け皿様の受け部
【図１】
0003174700.tif 000003
【図２】
0003174700.tif 000004
【手続補正書】
【提出日】平成24年1月12日(2012.1.12)
【手続補正１】
【補正対象書類名】実用新案登録請求の範囲
【補正対象項目名】全文
【補正方法】変更
【補正の内容】
【実用新案登録請求の範囲】
【請求項１】
調理台の上に、調理台と垂直方向に立つ鉄等の線材でできた２本の支柱とそれら支柱の上部を鉄等の線材でつないでいる部分とからなる調理器具置き部によって構成されており、調理時等において、お玉や菜箸等の調理器具の一方を調理台の上に置き、その反対側の先端に近い部分を調理器具置き部に載せることにより、調理器具の使用部が直接調理台に接することを防ぎ、調理器具の衛生を保つ卓上調理器具置き。
【請求項２】
前記卓上調理器具置きの調理器具を載せる調理器具置き部は手前と後ろの２か所あり、手前部分の調理器具置き部は後ろ部分の調理器具置き部より低くなっており、お玉等のように柄と使用部の間に角度があり調理器具置きに高さが必要なものは後ろ部分の高い方の調理器具置き部に載せ、菜箸等直線状といえるものは、手前部分の低い方の調理器具置き部に載せることで必要な高さに応じたより安定した状態を得ることができる点を特徴とする請求項１記載の卓上調理器具置き。
【請求項３】
前記卓上調理器具置きの調理器具置き部を複数の調理器具を整理して載せることができるように波線状にし、くぼんだ部分に調理器具を載せることにより他の調理器具と交差することを防止するとともに、載せた調理器具が滑って本卓上調理器具から落ちることを防ぐ構造になっている点を特徴とする請求項１記載の卓上調理器具置き。
【請求項４】
前記卓上調理器具置きの手前部分の調理器具置き部と後ろ部分の調理器具置き部の少なくとも一方が複数の調理器具を整理して載せることができるように波線状になっており、くぼんだ部分に調理器具を載せることにより他の調理器具と交差することを防止するとともに、載せた調理器具が滑って本卓上調理器具置きから落ちることを防ぐ構造になっている点を特徴とする請求項２記載の卓上調理器具置き。
【請求項５】
前記卓上調理器具置きの下部には、受け皿様の受け部が接着してあり、本卓上調理器具置きに載せた調理器具から落ちた油等の滴が受け皿様の受け部に受け止められ、調理台が汚れない構造であることを特徴とする請求項１〜４のいずれか１項に記載の卓上調理器具置き。